(57)【要約】【課題】圧延速度が変化するという状況下であっても、圧延材の形状制御を適正に行うことで振動的な形状変動を抑制し安定した圧延を行うことができるようにする。【解決手段】圧延機１００にて圧延している圧延材１の形状制御方法において、圧延材１の圧延速度が変化したときの予測形状変化量を求め、この予測形状変化量が所定範囲内にあるときは、前記圧延速度の変化に伴う板形状の修正制御を行わない。また、圧延材１の速度変化率ΔＶｒ（ｔ）を求め、この速度変化率ΔＶｒ（ｔ）であるときの予測圧延荷重変化量ΔＰf（ｔ）を求め、この予測圧延荷重変化量ΔＰf（ｔ）から予測形状変化量を求める【選択図】図１
2012096281.tif 000002
【特許請求の範囲】
【請求項１】
圧延機にて圧延している圧延材の形状制御方法において、
前記圧延材の圧延速度が変化したときの予測形状変化量を求め、この予測形状変化量が所定範囲内にあるときは、前記圧延速度の変化に伴う板形状の修正制御を行わないことを特徴とする圧延機における形状制御方法。
【請求項２】
前記圧延材の速度変化率ΔＶｒ（ｔ）を求め、この速度変化率ΔＶｒ（ｔ）に基づいて予測圧延荷重変化量ΔＰf（ｔ）を求め、この予測圧延荷重変化量ΔＰf（ｔ）から前記予測形状変化量を求めることを特徴とする請求項１に記載の圧延機における形状制御方法。
【請求項３】
前記圧延機におけるベンディング力及びクーラント流量を一定として圧延荷重は変化するものとして前記予測形状変化量を求めることを特徴とする請求項２に記載の圧延機における形状制御方法。
【請求項４】
圧延機にて圧延している圧延材の形状を制御する形状制御装置において、
前記圧延材の圧延速度が変化したときの予測形状変化量を求める形状変化量算出部と、前記予測形状変化量が予め求めた目標形状値の範囲にあるときは圧延速度の変化に伴う板形状の修正制御を行わない指令をする形状制御判断部とを有していることを特徴とする圧延機における形状制御装置。
【発明の詳細な説明】
【技術分野】
【０００１】
本発明は、圧延機の安定操業ができると共に圧延材の形状精度を向上させるための圧延機における形状制御方法及び形状制御装置に関するものである。
【背景技術】
【０００２】
圧延機にて圧延している圧延材の形状制御を行うものとして、例えば、特許文献１〜４に示すものがある。
特許文献１には、圧延中に複数の圧延スタンドの圧延反力を検出し、予測制御式に基づいて製品形状が所定製品形状になるよう形状修正装置を制御する形状制御方法が開示されている。この特許文献１では、特に、圧延材が通板中に前スタンドまでの荷重設定値と荷重計測値の誤差を計算し、その誤差を用いて△bend=Σ（βｉ*△Ｐｉ）に従いベンダー操作量を計算し、その際に用いるβｉは圧延実績値を用いて修正を行い、ΔＰｉとして形状誤差がない場合の荷重計測値との偏差を用いて、得られたベンダー操作量により、形状制御の精度を向上させることが開示されている。
【０００３】
特許文献２には、圧延材の形状を予測する形状自動認識装置が開示されている。この特許文献では、特に、圧延材が通板中に、板幅方向の形状計測値を形状計から取得し、得られた形状測定値と学習済みのニューラルネットワークを用いて形状特徴量を計算し、計算された特徴量に従ってレベリングを操作しつつ、セットップ計算値と上記とは別の予測用ニューラルネットワークを用いて計算し、形状を予測し予測結果に従い次材ベンダー設定を計算していることが開示されている。
【０００４】
特許文献３には、圧延材の形状を予測制御する形状予測方法が開示されている。この特許文献３では、特に、圧延材が通板中に圧延荷重、圧下位置、ベンダー圧、ロールシフト量を計測し、計測値と設定計算値（板厚、幅、張力）により４次関数を用いて幅方向形状を推定計算し、得られた形状推定値を形状測定値の代用としベンダー圧、シフト、圧下修正量を制御することによって、形状制御の精度を向上させることが開示されている。
【０００５】
特許文献４には、圧延荷重の変化予測量に基づいて圧延材の形状を制御する形状制御方法が開示されている。この特許文献４では、圧延材が加減速中に速度変化による圧延荷重変化量を予測し、張力テーパ中の目標張力変化に対する荷重変化量を予測し、それらの予測値と形状測定値から形状制御を行うことによって、形状制御の精度を向上させることが開示されている。
【先行技術文献】
【特許文献】
【０００６】
【特許文献１】特開昭５５−１５８８１５号公報
【特許文献２】特開平４−２３１１０６号公報
【特許文献３】特開昭５５−４２１６５号公報
【特許文献４】特開２００８−３００７７号公報
【発明の概要】
【発明が解決しようとする課題】
【０００７】
特許文献１では、圧延実績に差異があったときの考慮が不十分であると共に、ベンディング力以外の操作量の制御に関しては詳細に開示されていない。また、特許文献２では、オンラインではレベリングの操作を行っているだけであり、圧延材の予測形状についてはオンラインでは用いられず、次の圧延材に用いられている。そのため、特許文献２の技術では、圧延中に十分な形状制御が行えるか否かが不明である。
【０００８】
一方、特許文献３及び特許文献４では、圧延中に圧延材の形状制御を行っている。しかしながら、特許文献３では、形状制御を行うにあたって４次関数と現在値のみを用いて演算を行っていると共に、フィードバック制御を常に行うことにより形状制御を頻繁に行っている。また、特許文献４では、予測荷重値を用いたフィードバック制御を常に行うことにより形状制御を頻繁に行っている。
【０００９】
このように、特許文献３及び特許文献４では、圧延中に圧延材の形状制御を行えるものの、フィードバック制御等による形状制御を頻繁に行っているために圧延材の形状の変動が頻繁に起こるという問題が発生していた。
そこで、本発明は、上記問題点に鑑み、圧延速度が変化するという状況下であっても、圧延材の形状制御を適正に行うことで振動的な形状変動を抑制し安定した圧延を行うことができる圧延機における形状制御方法及び形状制御装置を提供することを目的とする。
【課題を解決するための手段】
【００１０】
上述の目的を達成するため、本発明においては以下の技術的手段を講じた。
本発明における課題解決のための技術的手段は、圧延機にて圧延している圧延材の形状制御方法において、前記圧延材の圧延速度が変化したときの予測形状変化量を求め、この予測形状変化量が所定範囲内にあるときは、前記圧延速度の変化に伴う板形状の修正制御を行わない点にある。
【００１１】
前記圧延材の速度変化率ΔＶｒ（ｔ）を求め、この速度変化率ΔＶｒ（ｔ）に基づいて予測圧延荷重変化量ΔＰf（ｔ）を求め、この予測圧延荷重変化量ΔＰf（ｔ）から前記予測形状変化量を求めることが好ましい。前記圧延機におけるベンディング力及びクーラント流量を一定として圧延荷重は変化するものとして前記予測形状変化量を求めることが好ましい。
【００１２】
本発明における課題解決のための他の技術的手段は、圧延機にて圧延している圧延材の形状を制御する形状制御装置において、前記圧延材の圧延速度が変化したときの予測形状変化量を求める形状変化量算出部と、前記予測形状変化量が予め求めた目標形状値の範囲にあるときは圧延速度の変化に伴う板形状の修正制御を行わない指令をする形状制御判断部とを有している点にある。
【発明の効果】
【００１３】
本発明によれば、圧延速度が変化するという状況下であっても、圧延材の形状制御を適正に行うことで振動的な形状変動を抑制し安定した圧延を行うことができる。
【図面の簡単な説明】
【００１４】
【図１】本発明が適用される圧延機の概略を示す図である。
【図２】形状制御方法の流れを示した図である。
【図３】圧延速度及び圧延荷重の変化を示した図である。
【図４】図３に示す状況下で従来の手法による結果を示した図である。
【図５】図３に示す状況下で本発明を適用した結果を示した図である。
【発明を実施するための形態】
【００１５】
以下、本発明の実施形態を、図を基に説明する。
なお、以下の説明では、同一の部品には同一の符号を付してある。それらの名称及び機能も同じである。したがって、それらについての詳細な説明は繰返さない。また、以下の説明では圧延材を帯板とするがそれに限定はされない。
図１に、本実施形態に係る圧延方法が行なわれる圧延機１００の構成の一例として、リバース式の圧延機の概略を示す。帯状の圧延材１（帯板）は両方向（紙面の左から右、右から左）に走行可能であり、所定の板厚になるまで、走行方向を変えながら繰り返し圧延される。
【００１６】
図１に示すように、圧延機１００は、帯板１の巻き取りを行ったり巻き戻しを行う巻回リール２と、帯板１に対して圧延を行うワークロール３と、ワークロール３をバックアップするバックアップロール４とを有している。圧延機１００は、形状測定装置（例えば、形状測定ロール）５を備えると共に、形状測定ロール５にて測定した帯板１の形状に基づいて当該帯板１の形状制御を行う形状制御装置６を有している。形状測定ロール５は、デフレクタロール８とワークロール３との間に設けられている。
【００１７】
また、圧延機１００には、ワークロール３の幅方向を複数分割した各エリアにおいてクーラント流量を制御するクーラントヘッド７が設けられている。
このような圧延機１００においては、巻回リール６（巻き取りリール、巻き戻しリール）への帯板１の巻き取りや巻き戻しを複数回に亘って繰り返すことで、帯板１を搬送方向に移動させてワークロール３にて圧延することにより、当該帯板１は、所望の板厚、板幅、板クラウンへと圧延され、圧延が終了した帯板１は、巻回リール２によって巻き取られて、次工程あるいは出荷ヤードへと搬送される。
【００１８】
また、圧延制御を行う際は、ロードセルなどの荷重計にて用いて圧延荷重を測定すると共に、図示省略のギャップ制御装置では板厚計による実測値あるいはゲージメータに基づく計算値あるいは荷重計測値の偏差に応じてワークロール３のギャップ操作量を演算し操作する。
さらに、形状制御装置６では、形状測定装置５にて測定した帯板１の形状、荷重測定値及び帯板１の目標形状を基にベンディングカやクーラント流量などの操作量を演算して帯板１の形状制御を行う。
【００１９】
ベンディングカやクーラント流量などを操作することにより帯板１の形状制御を行うに際し、例えば、圧延開始時点や圧延終了時点のような圧延速度が変化したときは、帯板１の形状が変化し易い。このような状況下で、従来の形状制御のように、逐次、フィードバック制御により帯板１の形状制御を行ってしまうと、帯板１が振動的に変化してしてしまう。そこで、本発明の圧延機における形状制御方法及び形状制御装置では、帯板１の圧延速度が変化するような状況下にて、帯板１が出来るだけ振動的に変化しないように形状制御を行っている。
【００２０】
以下、圧延機１００の形状制御装置６にて行う形状制御方法について、図２のフローチャートを用いて詳しく説明する。なお、図２下記に示すＳ４及びＳ５の処理は、形状制御装置６の形状変化量算出部１０が行い、Ｓ６の処理は、形状制御判断部１１が行い、その他の処理は、形状制御装置６にて行う。形状変化量算出部１０及び形状制御判断部１１は、制御プログラム等により構成されている。
【００２１】
まず、帯板１が通板している状況で形状測定装置５からの出力である形状測定値をもとに、帯板１の目標形状に対する帯板１の形状変化量（偏差）ΔＸiを求め、当該帯板１の形状変化に基づいて、形状制御を行うための演算を行う（Ｓ１：形状制御演算）。
この実施形態では、式（１）に示すように、ワークロール３（帯板１）を幅方向に複数分割した各ゾーンでの帯板１の板クラウン量などの形状測定値を考えることにする。そうすると、帯板１の目標形状に対する帯板１の形状変化量ΔＸiは、式（２）のように示すことができる。
【００２２】
【数１】
2012096281.tif 000003
【００２３】
さらに、帯板１の形状変化量ΔＸiを用いて、操作量であるベンディングカやクーラント流量などを制御アルゴリズムなどを用いて算出することができる。なお、制御アルゴリズムは、一般的な手法でよく、この実施形態では、例えば、ＰＩＤ制御や最適制御などを用いてもよい。
さて、ワークロール３の現在のロール速度（ロール実績値）と所定時間前の過去のロール実績値との差から現在の圧延速度の変化量（速度変化率ΔＶｒ（ｔ））を求める（Ｓ２：速度変化率演算）。
【００２４】
次に、速度変化率ΔＶｒ（ｔ）が、式（３）にて示される所定値α以上であるか否かを判断し、当該速度変化率ΔＶｒ（ｔ）が所定値α以上であれば、圧延速度が変化しているとする（Ｓ３：変化率＞α）。
【００２５】
【数２】
2012096281.tif 000004
【００２６】
Ｓ３にて速度変化率ΔＶｒ（ｔ）が所定値α以上であれば、Ｓ４（荷重変化量演算）に進み、それ以外であれば、Ｓ８に進む。
Ｓ４の処理では、速度変化率ΔＶｒ（ｔ）が所定値α以上であり、帯板１の圧延速度（通板速度）が変化していると判断されると、式（４）により、予測圧延荷重変化量ΔＰf（ｔ）を求める。予測圧延荷重変化量ΔＰf（ｔ）を求めるにあたっては、現在の速度変化率ΔＶｒ（ｔ）を維持した状態で所定時間内（Δｔ,Ｍ）にワークロール３のロール速度が変化し、当該ロール速度の変化量に応じた予測圧延荷重変化量ΔＰf（ｔ）を求める。
【００２７】
【数３】
2012096281.tif 000005
【００２８】
次に、Ｓ４の処理にて得られた予測圧延荷重変化量ΔＰf（ｔ）、現在のベンディングカ、クーラント流量を用いて、所定期間内にベンディングカ、クーラント流量が変化しない、つまりは、ワークロール３のロール速度、圧延荷重以外は現状の圧延状況が維持するとの前提のもとでの式（５）から予測形状変化量ΔＸfi（ｔ）を計算する（Ｓ５：形状変化量演算）。
【００２９】
【数４】
2012096281.tif 000006
【００３０】
なお、式（５）において動特性の次数については一次遅れを採用しているが、この動特性の次数はなんであってもよい。式（５）における各係数は、予め圧延実績データを用いてシステム同定の手法などにより求めるものである。
Ｓ５により予測形状変化量ΔＸfi（ｔ）を求めた後は、当該予測形状変化量ΔＸfi（ｔ）が、式（６）に示すように、目標形状値の範囲内（形状不良の上下限値内）にあるか否かを判断する（Ｓ６：目標幅外？）。即ち、予測形状変化量ΔＸfi（ｔ）になったときの帯板１の形状が許容される形状であるか否かを判断する。
【００３１】
【数５】
2012096281.tif 000007
【００３２】
式（６）に示す形状不良の上下限値は予め定める設定値であり、形状制御の目的に従って定めればよく、例えば、安定した圧延（通板）が目的であれば帯板１が破断に至らないような値を設定したり、帯板１の形状安定化が目的であれば要求される形状変化量に従い値を設定する。
予測形状変化量ΔＸfi（ｔ）が式（６）を満たし、帯板１の形状が許容される形状である場合、このままの圧延状態であったとしても荷重変化（速度変化）により帯板１が形状不良になることはないため、圧延速度の変化に伴う板形状の修正制御を行わない。即ち、Ｓ６において予測形状変化量ΔＸfi（ｔ）が目標形状値の範囲内（形状不良の上下限値内）であるときには、帯板１の圧延速度（通板速度）が変化していると式（３）により判断されたときの板形状を修正する制御を行わない。
【００３３】
一方で、予測形状変化量ΔＸfi（ｔ）が式（６）の範囲外であって、帯板１の形状が許容されない形状となっているときは、このままの操業であれば少なくとも所定期間にて形状不良となる。また、フィードバック制御の考えに基づく形状制御演算では頻繁に操作量を操作するために、ゲイン調整が不十分の場合は逆にフィードバック制御指令値が外乱となり形状不良発生の原因となりうる。Ｓ７の処理では、そのような状況を回避するために比較的緩やかな指令値を計算する予測制御手法により制御量の演算を行う。
【００３４】
即ち、圧延速度の変化に伴う板形状の修正制御（帯板１の形状を修正する制御）を行うために、まず、Ｓ７の予測制御演算では、まず、式（７）を用いて、所定時間後の目標形状値を決定する。
【００３５】
【数６】
2012096281.tif 000008
【００３６】
詳しくは、現在の制御目標は、目標形状値内に帯板１の形状を制御する必要があることから目標形状値ｒは、式（６）における上下限値の値を用いればよい。例えば、Ｓ６における処理において、予測形状変化量ΔＸfi（ｔ）が形状不良の下限値を下回る場合は、目標形状値ｒを式（６）の下限値に設定し、式（７）にて下限以下から下限値に至る参照軌道の計算を行う。予測形状変化量ΔＸfi（ｔ）が形状不良の上限値を上回る場合も、下限値と同様に参照軌道の計算を行う。即ち、予測形状変化量ΔＸfi（ｔ）が式（６）を満たさず、圧延速度の変化に伴う修正制御を行うときは、式（６）に示した上下限値を式（７）の目標形状値ｒに適用し、当該目標形状値ｒを用いて下記に示す制御操作量の演算を行う。
【００３７】
Ｓ７の予測制御演算では、次に、式（７）にて得られた目標形状値（参照軌道）と形状制御モデルを用いて式（８）により誤差を計算し、式（８）による誤差と操作量を用いた式（９）の評価関数を用いて、評価関数を最適化する操作入力値を求める。
【００３８】
【数７】
2012096281.tif 000009
【００３９】
一方、予測形状変化量ΔＸfi（ｔ）が式（６）を満たし、圧延速度の変化に伴う板形状の修正制御を行わない場合は、Ｓ７には進まずＳ９の処理に進む。Ｓ９（制御量補正）では、例えば、Ｓ８における制御演算量Δｕ（ｔ）を０とする。
そして、予測制御演算や制御補正における演算した制御演算量Δｕ（ｔ）を用いて式（１０）にて、サンプリング時間毎ΔＴに制御演算量ｕ（ｔ＋１）を演算して、その結果を圧延機に適用する（Ｓ８）。この処理は、帯板１の圧延が終了するまで繰り返し行う。
【００４０】
【数８】
2012096281.tif 000010
【００４１】
図３は、圧延速度及び圧延荷重の変化を示したものであり、図４は、図３に示す状況下で従来の手法による結果を示したものであり、図５は、図３に示す状況下で本発明を適用した結果を示したものである。
図３に示すように、圧延開始時の圧延加速の際に徐々に圧延速度が上昇すると、圧延荷重は加速開始時点ではあまり変化しないが、その後大きく圧延荷重が低下し加速終了が近づくと低下した圧延荷重にて一定値となる。ここで、仮に、制御を行わなかった場合は、圧延荷重の低下に伴いワークロール３のたわみ量が減少することになり、帯板１の形状（板形状）としては耳波形状から中伸び形状方向へ変化することになる。
【００４２】
次に、従来の手法、即ち、帯板１の形状がフラットとなる（フラット形状）となることを目標となる形状としてフィードバック制御により形状制御を行った場合、帯板１の形状（板形状）は、図４に示すように変化することになる。
即ち、従来の手法では、加速開始時点では高圧延荷重の影響により板形状が耳波形状となってしまうことから、それを補正するために、フィードバック制御によりベンディングカをプラス方向に操作して帯板１をフラット形状にしようとする形状制御が働く。しかしながら、従来の手法では、形状制御による操作の影響が効き始める時には圧延荷重低下の影響で適正化されたゲインを用いたとしてもフラット形状ではなく中伸び形状となってしまう。
【００４３】
次に、従来の手法では、帯板１の形状が中伸び形状になった場合は、その形状をフラット形状に戻そうと、逆方向にベンディングカを操作することになるが、その操作の影響が効き始める時には耳波形状となってしまう。
そして、従来の手法では、圧延速度の変化による圧延荷重の影響、図４に示すように、例えば、圧延速度の加速による圧延荷重の低下の影響を十分に考慮していないため、帯板１の形状は目標の形状であるフラット形状をはさんで振動的に変化しながら、次第にフラット形状に近づいていくことになる。
【００４４】
一方、図５に示すように、本発明では、加速開始時点の耳波形状に対してベンディングカをプラス方向に操作するものの、その後は、その形状制御を続けた場合の圧延荷重低下による形状変化量を予測して、帯板１の形状が目標形状範囲内に入るかどうかをチェックし、帯板１の形状が目標形状範囲内であれば、ベンディングカを一定値のままとしている。本発明では、帯板１の形状が目標形状範囲内にあるか否かの計算を繰り返し行い、圧延荷重低下によって帯板１の形状が目標形状範囲外になると予測する場合のみ、形状制御を行い（予測制御の手法を用いて最適な操作量を指令する）、形状制御後は操作量、即ち、指令値を維持するという制御（操作）を繰り返し行っている。
【００４５】
したがって、本発明では、従来の手法と比較するとベンディングカを変更する回数は少なくなるものの、帯板１の形状の結果を見るとならず従来の手法ほど振動的にはならず緩やかに目標形状に漸近していきその後は目標形状近辺を緩やかに変化する結果となっている。つまり、本発明では、従来の手法と比べると加速中にも関わらず目標形状に制御できて、形状が安定化し、安定した圧延を行うことができる。圧延速度が変更したときの帯板１の形状変化を抑制できて、帯板１を通板しているときのトラブル発生の抑制ができる。加えて、圧延中での通板安定性を維持することができるため、不安定操業による圧延機の故障を防止でき、圧延状態変化時の形状変化を抑制できることにより圧延速度の加速減速値を大きくすることができるため、製品（圧延材）の生産性を向上できる。即ち、圧延速度が変化するという状況下であっても、圧延材の形状制御を適正に行うことで振動的な形状変動を抑制し安定した圧延を行うことができる。
【００４６】
今回開示された実施形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００４７】
１  圧延材（帯板）
２  巻回リール
３  ワークロール
４  バックアップロール
５  形状測定装置（形状測定ロール）
６  形状制御装置
７  クーラントヘッド
８  デフレクタロール
１０  形状変化量算出部
１１  形状制御判断部
１００  圧延機
【図１】
2012096281.tif 000011
【図２】
2012096281.tif 000012
【図３】
2012096281.tif 000013
【図４】
2012096281.tif 000014
【図５】
2012096281.tif 000015